【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
脊柱管狭窄症を治療するための最小限の挿入アプローチで横方向の開口部を通して２個の互いに隣接し合う椎骨棘突起の間に挿入することができる装置であって、
棘突起の間に嵌合する形状になっている移植片本体構造部を備え、
前記装置は、さらに、前記本体構造部に作動可能に付随する第１の維持部材、第２の維持部材、第３の維持部材、および、第４の維持部材を備え、
前記装置は、さらに、前記本体構造部の中に実質的に配置されたネジを備え、前記ネジは、前記第１の維持部材、前記第２の維持部材、前記第３の維持部材、および、前記第４の維持部材を後退位置から配備位置に移動させるように作動するようになっており、後退位置において、前記第１の維持部材と前記第２の維持部材は、互いに並んで、かつ、前記本体構造部のほぼ内部に配置され、前記第３の維持部材と前記第４の維持部材は、互いに並んで、かつ、前記本体構造部のほぼ内部に配置され、配備位置において、前記第１の維持部材と前記第３の維持部材は、棘突起の第１の側に隣接して前記移植片本体構造部から外に張出し、前記第２の維持部材と前記第４の維持部材は、棘突起の第２の側に隣接して前記移植片本体構造部から外に張出すようになっている、
ことを特徴とする装置。
【請求項２】
前記ネジは、前記本体構造部の中に収容されることを特徴とする、請求項１に記載の装置。
【請求項３】
前記ネジは長手方向軸線を有し、前記本体構造部は、前記長手方向軸線にそって間隔を隔てた第１本体端部と第２本体端部とを備え、第１の方向に前記ネジを回転させることにより、前記第１本体端部および前記第２本体端部が互いに向かって軸線方向に移動し、前記第１本体端部および前記第２本体端部が互いに向かって軸線方向に移動するときに、前記第１本体端部および前記第２本体端部の影響のもとで、前記維持部材は前記後退位置から前記配備位置まで移動することを特徴とする、請求項１に記載の装置。
【請求項４】
前記第１の維持部材および前記第３の維持部材は、蝶番部によって前記第１本体端部に取り付けられ、前記第２の維持部材および前記第４の維持部材は、蝶番部によって前記第２本体端部に取り付けられることを特徴とする、請求項３に記載の装置。
【請求項５】
前記第１の維持部材および前記第３の維持部材は、前記本体第１端部に固定されて、前記第１本体端部と一緒に移動し、前記第１本体端部が前記第２本体端部に向かって軸線方向に移動すると、前記第１の維持部材および前記第３の維持部材は、前記第２本体端部に相関的に軸線方向に摺動し、前記第１本体端部および前記第２本体端部は、前記維持部材を偏向させて案内することで、前記維持部材を前記後退位置から前記配備位置へ移動させる構成になっていることを特徴とする、請求項３に記載の装置。
【請求項６】
第１の維持部材、第２の維持部材、第３の維持部材、第４の維持部材は、各々がワイヤであることを特徴とする、請求項３に記載の装置。
【請求項７】
前記ワイヤは略Ｕ字型であるとともに自由端を有しており、前記第１の維持部材および前記第３の維持部材の自由端は前記第１本体端部に固定されており、前記第１本体端部が前記第２本体端部に相対的に軸線方向に移動すると、前記第１本体端部と一緒に移動することを特徴とする、請求項６に記載の装置。
【請求項８】
前記第１本体端部および前記第２本体端部の各々には、前記ワイヤを偏向させるためのカム面が設けられていることを特徴とする、請求項７に記載の装置。
【請求項９】
前記ネジは、前記第１本体端部と係合される第１の方向にねじ部を含んでおり、かつ、前記第２本体端部と係合される第２の方向に反対方向に延びたねじ部を含んでいることを特徴とする、請求項３に記載の装置。
【請求項１０】
前記本体構造部の前記中間部は、前記第１本体端部と前記第２本体端部との間に軸線方向に配置されたスリーブを更に含むことを特徴とする、請求項３に記載の装置。
【請求項１１】
前記スリーブは、前記２個の互いに隣接し合う椎骨の棘突起から力が付与されると、前記第１本体端部および前記第２本体端部に相対的に回転することができることを特徴とする、請求項１０に記載の装置。
【請求項１２】
前記スリーブは、前記２個の互いに隣接し合う椎骨の棘突起から力が付与されると、偏向することができるようになっていることを特徴とする、請求項１０に記載の装置。
【請求項１３】
前記スリーブには、両端部と、これら両端部よりも厚みが小さい中間部とが設けられていることを特徴とする、請求項１２に記載の装置。
【請求項１４】
前記スリーブは、或る弾性係数を有する素材から形成された第１スリーブ構成部材と、前記弾性係数とは異なる弾性係数を有する素材から形成された第２スリーブ構成部材とを含んでいることを特徴とする、請求項１２に記載の装置。
【請求項１５】
前記ネジは、前記維持部材を前記後退位置から前記配備位置へ後退させるようにも作動することができることを特徴とする、請求項１に記載の装置。
【請求項１６】
前記本体構造部には第１端部および第２端部が設けられており、前記ネジは、長手方向軸線を有しており、前記ネジの少なくとも一部には外側ねじ部が切られており、前記ネジは回転することができるような構成になっており、前記第１端部および前記第２端部は、各々に内側ねじ部が切られているとともに、前記ネジに取付けられており、前記保持部材は、各々が２個の自由端を有する略Ｕ字型のワイヤを含んでおり、前記第１の維持部材および前記第３の維持部材の自由端は前記第１端部に固定されており、前記第２の維持部材および前記第４の維持部材の自由端は前記第２端部に固定されており、前記ネジが第１の方向に回転すると、前記第１端部および前記第２端部が前記ネジに沿って軸線方向に移動して互いに近接し、前記ネジの軸線と或る角度を成すように前記保持部材を配備することを特徴とする、請求項１に記載の装置。
【請求項１７】
脊柱管狭窄症を治療するための最小限の挿入アプローチで横方向の開口部を通して２個の互いに隣接し合う椎骨棘突起の間に挿入することができる装置であって、
長手方向軸線を有し、かつ、棘突起の間に配置される形状になっている移植片本体構造部を備え、前記本体構造部は、前記長手方向軸線にそって間隔を隔てた第１本体端部と第２本体端部とを備えており、
前記装置は、さらに、前記本体構造部に作動可能に付随する第１の維持部材、第２の維持部材、第３の維持部材、および、第４の維持部材を備え、
前記装置は、さらに、前記移植片本体構造部の中に配置された機構を備え、前記機構は、前記第１の維持部材、前記第２の維持部材、前記第３の維持部材、および、前記第４の維持部材を、前記軸線と整列される後退位置から配備位置に移動させるように作動するようになっており、前記第１の維持部材と前記第３の維持部材は、前記軸線と或る角度を成して棘突起の第１の側のそばに延び、前記第２の維持部材と前記第４の維持部材は、前記軸線と或る角度を成して棘突起の第２の側のそばに延び、第１の方向に前記機構を作動させることにより、前記第１本体端部および前記第２本体端部が互いに向かって軸線方向に移動し、前記第１本体端部および前記第２本体端部が互いに向かって軸線方向に移動するときに、前記第１本体端部および前記第２本体端部の影響のもとで、前記維持部材は前記後退位置から前記配備位置まで移動するようになっており、前記第１の維持部材と前記第３の維持部材は、前記第１の維持部材と前記第３の維持部材が前記第１本体端部と一緒に移動するように前記第１本体端部に連結されており、前記第１本体端部が前記第２本体端部に向かって軸線方向に移動すると、前記第１の維持部材および前記第３の維持部材は、前記第２本体端部に相関的に軸線方向に摺動できるようになっており、前記第２本体端部は、前記第１の維持部材と前記第３の維持部材を前記後退位置から前記配備位置へ偏向させて案内するようになっており、前記第２の維持部材と前記第４の維持部材は、前記第２の維持部材と前記第４の維持部材が前記第２本体端部と一緒に移動するように前記第２本体端部に連結されており、前記第２本体端部が前記第１本体端部に向かって軸線方向に移動すると、前記第２の維持部材および前記第４の維持部材は、前記第１本体端部に相関的に軸線方向に摺動できるようになっており、前記第１本体端部は、前記第２の維持部材と前記第４の維持部材を前記後退位置から前記配備位置へ偏向させて案内するようになっている、
ことを特徴とする装置。
【請求項１８】
前記機構は、前記第１本体端部および前記第２本体端部とねじ係合される、軸線方向に延びたコネクタを含んでいることを特徴とする、請求項１７に記載の装置。
【請求項１９】
前記本体構造部は、前記第１本体端部と前記第２本体端部との間に軸線方向に配置されたスリーブを更に含むことを特徴とする、請求項１７に記載の装置。
【請求項２０】
前記スリーブは、前記棘突起から力が付与されると、前記第１本体端部および前記第２本体端部に相対的に回転するように構成されることを特徴とする、請求項１９に記載の装置。
【請求項２１】
脊柱管狭窄症を治療するための最小限の挿入アプローチで横方向の開口部を通して２個の互いに隣接し合う椎骨棘突起の間に挿入することができる脊柱移植片であって、
長手方向軸線を有し、かつ、２個の互いに隣接し合う椎骨棘突起の間に配置される形状になっている本体構造部を備え、前記本体構造部は、少なくとも部分的に内部空間を形成する外面を有しており、
前記装置は、さらに、前記本体構造部に作動可能に付随する第１の維持部材、第２の維持部材、第３の維持部材、および、第４の維持部材を備え、前記第１の維持部材、前記第２の維持部材、前記第３の維持部材、および、前記第４の維持部材は、前記第１の維持部材、前記第２の維持部材、前記第３の維持部材、および、前記第４の維持部材が前記軸線とほぼ整列され、かつ、前記本体構造部の内部空間の中にある後退位置から、前記第１の維持部材と前記第３の維持部材が前記軸線と或る角度を成して全体的に延びて、２個の互いに隣接し合う椎骨棘突起の第１の側に隣接し、かつ、前記第２の維持部材と前記第４の維持部材が前記軸線と或る角度を成して全体的に延びて、２個の互いに隣接し合う椎骨棘突起の第２の側に隣接する配備位置に移動するようになっている、
ことを特徴とする脊柱移植片。
【請求項２２】
前記本体構造部の少なくとも部分は、椎骨の棘突起から力が付与されると、前記保持部材に相対的に回転できることを特徴とする、請求項２１に記載の脊椎移植片。
【請求項２３】
前記本体構造部の少なくとも部分は、椎骨の棘突起から力が付与されると偏向することができることを特徴とする、請求項２１に記載の脊椎移植片。
【請求項２４】
前記本体構造部には、両端部と、これら両端部よりも厚みが小さい中間部とが設けられていることを特徴とする、請求項２３に記載の脊椎移植片。
【請求項２５】
前記本体構造部は、或る弾性係数を有する素材から形成されている第１構成部材と、前記弾性係数とは異なる弾性係数を有する素材から形成されている第２構成部材とを含んでいることを特徴とする、請求項２３に記載の脊椎移植片。
【請求項２６】
さらに、第１端部および第２端部を備え、前記第１端部は、２個の案内窓と、２個の旋回接続部とを有し、前記第２端部は、２個の案内窓と、２個の旋回接続部とを有していることを特徴とする、請求項２１に記載の脊椎移植片。
【請求項２７】
前記第１の維持部材、前記第２の維持部材、前記第３の維持部材、および、前記第４の維持部材には近位端と遠位端が設けられており、前記第１の維持部材、前記第３の維持部材の遠位端は、前記第１端部の旋回接続部に旋回自在に接続されており、前記第１の維持部材および前記第３の維持部材は、前記第２端部の案内窓を通り抜け、前記第２の維持部材、前記第４の維持部材の遠位端は、前記第２端部の旋回接続部に旋回自在に接続されており、前記第２の維持部材および前記第４の維持部材は、前記第１端部および前記第２端部が互いに向けて移動させられると、前記第１端部の案内窓を通り抜けるようになっていることを特徴とする、請求項２６に記載の脊椎移植片。
【請求項２８】
さらに、前記本体構造部の中にあって、前記保持部材を前記後退位置から前記配備位置まで駆動するように作動する機構を備えることを特徴とする、請求項２１に記載の脊椎移植片。